【手続補正書】
【提出日】平成18年1月25日(2006.1.25)
【手続補正１】
【補正対象書類名】明細書
【補正対象項目名】特許請求の範囲
【補正方法】変更
【補正の内容】
【特許請求の範囲】
【請求項１】  菌類病原体のリボソームＲＮＡ遺伝子領域から単離したＤＮＡ分子であり、パイレノフォラ・トリチシ−レペンチス（Ｐｙｒｅｎｏｐｈｏｒａ ｔｒｉｔｉｃｉ−ｒｅｐｅｎｔｉｓ）のＩＴＳ１又はＩＴＳ２のいずれかであるＤＮＡ分子。
【請求項２】  パイレノフォラ・トリチシ−レペンチスの検出方法であり：
（ａ）請求項１のＤＮＡ分子のヌクレオチド配列の決定；
（ｂ）（ａ）において決定されるヌクレオチド配列の少なくとも１０個のヌクレオチドと配列の同一性を有する、少なくとも１つのＰＣＲプライマーの設計；
（ｃ）パイレノフォラ・トリチシ−レペンチスに感染した植物組織からのＤＮＡの単離；
（ｄ）（ｂ）のプライマーを用いる、ポリメラーゼ連鎖反応の増幅への（ｃ）のＤＮＡの適用；及び
（ｅ）（ｄ）のポリメラーゼ連鎖反応増幅の生成物を可視化することによる、パイレノフォラ・トリチシ−レペンチスの検出、を含んで成る前記方法。
【請求項３】  パイレノフォラ・トリチシ−レペンチスのリボソームＲＮＡ領域から単離される内部転写（Ｉｎｔｅｒｎａｌ Ｔｒａｎｓｃｒｉｂｅｄ）スペーサー配列であり：配列番号２９のヌクレオチド３１〜２０８；配列番号２９のヌクレオチド３６６〜５２６；配列番号３０のヌクレオチド３１〜２０８；配列番号３０のヌクレオチド３６６〜５２６；配列番号３１のヌクレオチド３１〜２０８；配列番号３１のヌクレオチド３６６〜５２６；配列番号３２のヌクレオチド３１〜２０８；配列番号３２のヌクレオチド３６６〜５２６；配列番号３３のヌクレオチド３１〜２０８；配列番号３３のヌクレオチド３６６〜５２７；配列番号３４のヌクレオチド３１〜２０８；配列番号３４のヌクレオチド３６６〜５２６；配列番号３５のヌクレオチド３１〜２０８；配列番号３５のヌクレオチド３６６〜５２７；配列番号３６のヌクレオチド３１〜２０８；配列番号３６のヌクレオチド３６６〜５２６；配列番号３７のヌクレオチド３１〜２０９；配列番号３７のヌクレオチド３６７〜５２７；配列番号３８のヌクレオチド３１〜２０８；配列番号３８のヌクレオチド３６６〜５２６；配列番号３９のヌクレオチド３１〜２０８；配列番号３９のヌクレオチド３６８〜５３４；配列番号４０のヌクレオチド３１〜２０８；及び配列番号４０のヌクレオチド３６６〜５２７から成る群から選択される内部転写スペーサー。
【請求項４】  菌類の内部転写スペーサーＤＮＡ配列の増幅を基にした検出における使用のためのオリゴヌクレオチドプライマーであり、請求項３の配列の少なくとも１０個の連続したヌクレオチドと、配列の同一性を有する前記プライマー。
【請求項５】  少なくとも１つのプライマーが請求項４のオリゴヌクレオチドプライマーである、菌類の内部転写スペーサーＤＮＡ配列の増幅を基にした検出における使用のためのオリゴヌクレオチドプライマー対。
【請求項６】  請求項４に記載のプライマーを少なくとも１つ含んで成る、菌類の病原体の検出において使用される診断キット。
【請求項７】  菌類の病原体の検出方法であり：
（ａ）菌類の病原体に感染した植物の葉からのＤＮＡの単離；
（ｂ）請求項４に記載の少なくとも１つのプライマーを用いる、ポリメラーゼ連鎖反応の増幅への前記ＤＮＡの適用；及び
（ｃ）前記ポリメラーゼ連鎖反応の生成物を可視化することによる前記菌類の病原体の検出、を含んで成る方法。
【請求項８】  前記の菌類の病原体がパイレノフォラ・トリチシ−レペンチスである、請求項７に記載の方法。
【請求項９】  前記の菌類の病原体がパイレノフォラ・テレス（ｔｅｒｅｓ）である、請求項７に記載の方法。
【請求項１０】  前記の菌類の病原体がドレクスレラ・ソロキニアナ（Ｄｒｅｃｈｓｌｅｒａ ｓｏｒｏｋｉｎｉａｎａ）である、請求項７に記載の方法。
【請求項１１】  パイレノフォラ・トリチシ−レペンチスの検出方法であって：
（ａ）請求項３に記載の内部転写スペーサーの、少なくとも１０個の連続したヌクレオチドと配列の同一性を有する、少なくとも１つのＰＣＲプライマーの設計；
（ｂ）パイレノフォラ・トリチシ−レペンチスに感染した植物組織からのＤＮＡの単離；
（ｃ）（ａ）のプライマーを用いる、ポリメラーゼ連鎖反応の増幅への、（ｂ）のＤＮＡの適用；及び
（ｄ）（ｃ）のポリメラーゼ連鎖反応の増幅の生成物を可視化することによる、パイレノフォラ・トリチシ−レペンチスの検出、を含んで成る前記方法。
【請求項１２】  パイレノフォラ・トリチシ−レペンチスの検出方法であり：
（ａ）（ｉ）請求項３に記載の内部転写スペーサー配列の、少なくとも１０個の連続したヌクレオチドに相補的である配列を有する核酸領域、及び
（ii）プローブが別の核酸分子とハイブリダイズするときのシグナルか、又は標識のための結合部位を提供する、いずれかの標識を含んで成る標識部分、を含んで成る少なくとも１つのポリヌクレオチド標識プローブの設計；
（ｂ）パイレノフォラ・トリチシ−レペンチスに感染した植物組織からのＤＮＡの単離；
（ｃ）（ａ）のプローブと、（ｂ）のＤＮＡとのハイブリダイゼーション；及び
（ｄ）前記標識の検出によるパイレノフォラ・トリチシ−レペンチスの検出であり、（ｃ）のハイブリダイゼーションが起こったことを示す、前記標識の検出、を含んで成る前記方法。
【請求項１３】  菌類の内部転写スペーサーＤＮＡ配列の増幅を基にした検出における使用のためのオリゴヌクレオチドプライマーであり、配列番号７〜２８から成る集団から選択される前記プライマー。
【請求項１４】  少なくとも１つのプライマーが請求項１３に記載のオリゴヌクレオチドプライマーであり、菌類の内部転写スペーサーＤＮＡ配列の増幅を基にした、検出における使用のためのオリゴヌクレオチドのプライマー対。
【請求項１５】  請求項１４に記載のオリゴヌクレオチドのプライマー対であり、以下のプライマー対： 配列番号７及び９；
配列番号１１及び１５；
配列番号７及び１４；
配列番号１及び９；
配列番号８及び４；
配列番号１７及び２０；
配列番号１８及び１９；
配列番号１及び１９；
配列番号７及び１９；
配列番号８及び１９；
配列番号１０及び１９；
配列番号１３及び１９；
配列番号２３及び２６；
配列番号２３及び１９；
配列番号２４及び１９；並びに 配列番号２７及び２８；
から選択される前記の対。
【請求項１６】  パイレノフォラ・トリチシ−レペンチスの検出方法であり： （ａ）パイレノフォラ・トリチシ−レペンチスに感染した植物の葉からのＤＮＡの単離；
（ｂ）請求項１５に記載のオリゴヌクレオチドのプライマー対と共に、ポリメラーゼ連鎖反応における鋳型として前記ＤＮＡを用いる、パイレノフォラ・トリチシ−レペンチスの内部転写スペーサー配列の一部の増幅；及び
（ｃ）前記の増幅した内部転写スペーサー配列の一部を可視化することによる、パイレノフォラ・トリチシ−レペンチスの検出；
を含んで成る方法。
【請求項１７】  請求項１５に記載のオリゴヌクレオチドのプライマー対であって、配列番号１及び９又は配列番号１及び１９のいずれかであるプライマー対。
【請求項１８】  パイレノフォラ・テレスの検出方法であり：
（ａ）パイレノフォラ・テレスに感染した植物の葉からのＤＮＡの単離；
（ｂ）請求項１７に記載のオリゴヌクレオチドのプライマー対と共に、ポリメラーゼ連鎖反応における鋳型として前記ＤＮＡを用いる、パイレノフォラ・テレスの内部転写スペーサー配列の一部の増幅；及び
（ｃ）前記の増幅した内部転写スペーサー配列の一部を可視化することによる、パイレノフォラ・テレスの検出；
を含んで成る前記方法。
【請求項１９】  請求項１５に記載のオリゴヌクレオチドのプライマー対であって、配列番号８及び４である前記プライマー対。
【請求項２０】  ドレクスレラ・ソロキニアナの検出方法であり：
（ａ）ドレクスレラ・ソロキニアナに感染した植物の葉からのＤＮＡの単離；
（ｂ）請求項１９に記載のオリゴヌクレオチドのプライマー対と共に、ポリメラーゼ連鎖反応における鋳型として前記ＤＮＡを用いる、ドレクスレラ・ソロキニアナの内部転写スペーサー配列の一部の増幅；及び
（ｃ）前記の増幅した内部転写スペーサー配列の一部を可視化することによる、ドレクスレラ・ソロキニアナの検出；
を含んで成る前記方法。